(57)【特許請求の範囲】
【請求項１】
背凭れインナーシェルの背後にアウターカバーを配置してなるものであって、背凭れインナーシェルを、その上部が拘束を受けない状態で下部を背支桿に固定することで、背凭れインナーシェルの弾性を利用して背凭れインナーシェル上部の下部に対するねじり変形を許容して背凭れインナーシェル上部の向きを左右に変更可能にし、背凭れインナーシェルの向き変更に伴い背凭れインナーシェルの左右両側縁がアウターカバーの対応する側縁に対して近接又は離反する相対動作を許容する動作空間を、背凭れインナーシェルとアウターカバーとの間に間隙をあけて確保する一方、アウターカバーは、背凭れインナーシェルと接触しないように背支桿に取り付けられて、背凭れインナーシェルの向き変更に対して静止状態を保持するように構成していることを特徴とする椅子。
【請求項２】
背凭れインナーシェルの左右両側縁とアウターカバーの対応する側縁との間に、背凭れインナーシェルの動作を妨げることなく前記動作空間の側方を遮蔽する遮蔽機構を構成し、前記遮蔽機構が、背凭れインナーシェルの背面より後方に突出させて設けたリブ状カバーと、アウターカバー又は背支桿の前面若しくは側縁より前方に突出させて設けたリブ状カバーとを具備し、これらのリブ状カバー同士を側面視重なり合うように配置して構成されたものである請求項１に記載の椅子。
【請求項３】
アウターカバーを左右に対をなして設けた背支桿に固定して取り付けたものであって、リブ状カバーを左右の背支桿の内側に位置づけている請求項２に記載の椅子。
【請求項４】
背支桿にランバーサポートを取り付けてなるものであって、ランバーサポートを前記動作空間内に配置している請求項１〜３のいずれかに記載の椅子。
【発明の詳細な説明】
【技術分野】
【０００１】
本発明は、オフィス等において好適に適用される椅子に係り、ワーカーの挙動に適合したバックアップ機能を外観を損ねることなく実現した椅子に関するものである。
【背景技術】
【０００２】
オフィス等で使用される椅子は、長時間のデスクワーク等を考慮して、体を適切にバックアップすべく、執務中の体に負担が掛からないための背座の形状や角度、リフレッシュや安息のためのチルト機能やロッキング機能など、様々な工夫が凝らされている。
【０００３】
しかしながら、オフィス等においては、片肘にもたれ足を組む等して休息したり、着座したまま側方ないし斜め後方のワーカーと簡単なやりとりをしたり、書類その他の物品を周辺に移動させるケース等が少なくない。このような場合、前後方向の動作に重点をおいて作られている従来の椅子では、背が動作の妨げになることが多々あり得る。
【０００４】
オフィスで使用される椅子ではないが、従来とは異なる体の動きに配慮したものとして、特許文献１に示すように、自動車において後方確認等のために必要な体の動きをバックアップし得るようにした自動車用座席の機能が提案されている。この座席は、幅方向中心を縦断する位置に回転軸を設け、下半部と独立に設けた背の上半部をこの回転軸回りに回転させることで、体のひねり動作に対応するようにしたものである。
【特許文献１】実公平４−３４１１１号公報
【発明の開示】
【発明が解決しようとする課題】
【０００５】
しかしながら、かかる座席機能は、確かにハンドルを握ったままで振り向く動作をバックアップするものとしては適しているかも知れないが、オフィス等で行なわれる動作をバックアップする機能としては必ずしも妥当しない。オフィス等において、上述した着座時に安息姿勢をとり或いは周辺へのアクセス動作を行なう際には、体の向きを変える程度の挙動をバックアップできれば足り、それ以上の動作は回転椅子の機能で十分だからである。
【０００６】
したがって、着座者が体の向きを変える動作を妨げない方向に背凭れを可動にできれば便利である。その際、この種の椅子は背凭れを構成する背凭れインナーシェルを背支桿に取り付け、その取付部分を隠蔽すべく、背支桿をサンドイッチする状態でアウターカバーを当該背凭れインナーシェルの背面に固定するのが通例であるが、このような構造をそのまま採用すると、着座者が体の向きを変えるたびにアウターカバーが動き回って見苦しくなり、見た目の安定感も損ねる上に、アウターカバーにハンガー機能を付与した場合等には、ハンガーに吊るした衣類が振り回されるという不具合が生じることとなる。
【０００７】
本発明は、このような不具合を伴うことなく、オフィスにおける着座者の動作により良く適合し得る新規有用な椅子を提供しようとするものである。
【課題を解決するための手段】
【０００８】
本発明は、かかる目的を達成するために、次のような手段を講じたものである。
【０００９】
すなわち、本発明の椅子は、背凭れインナーシェルの背後にアウターカバーを配置したものであって、背凭れインナーシェルを、その上部が拘束を受けない状態で下部を背支桿に固定することで、背凭れインナーシェルの弾性を利用して背凭れインナーシェル上部の下部に対するねじり変形を許容して背凭れインナーシェル上部の向きを左右に変更可能にし、背凭れインナーシェルの向き変更に伴い背凭れインナーシェルの左右両側縁がアウターカバーの対応する側縁に対して近接又は離反する相対動作を許容する動作空間を、背凭れインナーシェルとアウターカバーとの間に間隙をあけて確保する一方、アウターカバーは、背凭れインナーシェルと接触しないように背支桿に取り付けられて、背凭れインナーシェルの向き変更に対して静止状態を保持するように構成していることを特徴とする。
【００１０】
このように構成すると、着座者が体の向きを変える動作を行った場合に、背凭れインナーシェルの側縁がアウターカバー側に接近する方向に逃げることができるので、背凭れが着座者の動作の妨げとなることを有効に回避することができる。しかも、かかる背凭れインナーシェルの相対動作はアウターカバーとの間に間隙をあけて確保した動作空間内で行なわれ、アウターカバーと干渉せず、アウターカバーも背凭れインナーシェルの動きに追従しないので、当該背凭れインナーシェルの作動を円滑に行なわせることができると同時に、アウターカバー側にも安定感のある本来のカバー機能を有効に担保しておくことができる。
【００１１】
背凭れインナーシェルとアウターカバーとの間が大きくなって椅子の側方からの見え掛かりが損なわれることを有効に防止するためには、背凭れインナーシェルの左右両側縁とアウターカバーの対応する側縁との間に、背凭れインナーシェルの動作を妨げることなく前記動作空間の側方を遮蔽する遮蔽機構を構成しておくことが望ましい。
【００１２】
上記構成に加えて、前記遮蔽機構は、背凭れインナーシェルの背面より後方に突出させて設けたリブ状カバーと、アウターカバー又は背支桿の前面若しくは側縁より前方に突出させて設けたリブ状カバーとを具備し、これらのリブ状カバー同士を側面視重なり合うように配置しているものとする。
【００１３】
アウターカバーを左右に対をなす背支桿に固定して取り付けた椅子を構成する場合に、リブ状カバーが必要以上に大掛かりとなることを回避するためには、リブ状カバーを左右の背支桿の内側に位置づけておくことが望ましい。
【００１６】
背支桿にランバーサポートを取り付けている場合には、ランバーサポートを前記動作空間内に配置すればよい。
【発明の効果】
【００１７】
本発明は、以上説明した構成であるから、着座者が着座したまま向きを変える動作に背凭れインナーシェルを好適に追従させることができ、しかも背凭れインナーシェルのみを動作させアウターカバーを静止させることによって、アウターカバーによる安定感のある外観を有効に維持できるようにした新規有用な椅子を提供することができる。
【発明を実施するための最良の形態】
【００１８】
以下、本発明の一実施形態を、図面を参照して説明する。
【００１９】
図１及び図２に示す本実施形態の椅子は、背支桿１に背支持装置２を介して背凭れ３を支持するものであり、その背支持装置２は、座８に着座した着座者の側方ないし斜め後方へのねじり動作や側方への倒れ動作に適合すべく、背凭れ３を同方向に可動に支持する機能を備えている。また、この椅子はランバーサポート４を備え、そのランバーサポート４を簡単な構造及び操作を通じて所望の突出量、高さ位置にダイレクトに調節できるようにしている。
【００２０】
具体的に説明すると、背支桿１は対をなして後上方に突設され、その突出端にブラケット１１を介してバックアップ部材１２を横架してなるもので、このバックアップ部材１２は図３等に示すように前面をバックアップ面１２ａとする金属板状をなし、中央の平坦部１２ｘに隣接させて、左右の端部に至る領域に塑性変形加工によって所定曲率の湾曲部１２ｙを形成している。また、背支桿１の腰椎対応付近には、ブラケット１３を介して図２及び図４等に示す軸受部材１４が取り付けてある。この軸受部材１４は、略上下方向に延びる長孔１４１ａを開口させた立壁１４１を有し、この立壁１４１を背凭れ３の下方側縁に対向する部位に位置づけている。
【００２１】
一方、背凭れ３は、図１及び図２等に示すように、弾性を有する比較的硬質な樹脂製の背凭れインナーシェル３１の前面側に図示しないクッション材を貼着し、その上より張地３３を背面に亘る部位まで被覆したもので、背凭れインナーシェル３１の成形時に、バックアップ部材１２の対応部位に図３及び図５等に示す可動部材３４を一体成形している。この可動部材３４は後面を可動面３４ａとする板状をなし、中央の平坦部３４ｘに隣接させて、左右の端部に至る領域に前記バックアップ面１２ａよりも大きい所定曲率の湾曲部３４ｙを形成している。そして、この可動面３４ａを前記バックアップ面１２ａに対面する位置に配置している。すなわち、バックアップ面１２ａと可動面３４ａとの対向距離ｄは、湾曲部１２ｙ、３４ｙにおいて中心から幅方向へ変位するにつれて漸次広がる関係をなすように設定してあり、両面１２ａ、３４ａが添接した状態で可動面３４ａがバックアップ面１２ａに対して例えば図３→図５のように接触位置を変えつつ転動し、背凭れ３が図５において矢印で示すように向きを変え得るようにしている。
【００２２】
また、本実施形態は、図２、図３、図６及び図７等に示すように、背凭れインナーシェル３１の成形時に可動部材３４に連続する位置に断面アングル状の補助部材３５を一体成形している。この補助部材３５は、可動面３４ａとの間に所定の空隙Ｐ（図７参照）を形成する位置に規制面３５ａを設けたもので、規制面３５ａは幅方向中央から端部に至る領域に後方に凸となる緩やかな曲面を２つ連接した形態をなし、前記空隙Ｐは下方に解放されている。そして、これら可動部材３４及び補助部材３５をバックアップ部材１２に上方から被せることによって、可動面３４ａと規制面３５ａとの空隙Ｐ内にバックアップ面１２ａを相対揺動可能に収容している。すなわち、可動面３４ａが揺動していない図３の状態では、バックアップ面１２ａと規制面３５ａとの間の少なくとも幅方向中央以外の部分にクリアランスＣを確保し、図５に示す揺動端で規制面３５ａをバックアップ面１２ａに当接させてそれ以上の可動面３４ａの揺動を規制するようにしている。図においては規制面３５ａの端縁３５ａｘがバックアップ面１２ａに局所的に当接しているが、湾曲に沿って幅広く当接させるようにしてもよい。また、バックアップ面１２ａと規制面３５ａとの間における前記幅方向中央部に、ウレタン等の圧縮性素材やバネ素材等からなる付勢手段３６を介在させており、これにより補助部材３５を後方に付勢して、可動面３４ａをバックアップ面１２ａに押し付けるようにしている。
【００２３】
さらに、この背凭れ３には、図２及び図４等に示すように、下端近傍の右側縁部及び左側縁部に回動支点となり得る基点たる軸部３７を、前記背支桿１側に設けた軸受部材１４の略上下方向に延びる長孔１４１ａに貫通させた上で固定しており、長孔１４１ａの下端を軸受部１４ｘとして利用して、背反的に左右の軸部３７の何れか一方を回動支点、他方を遊動点とすることによって、図４に想像線で示すように背凭れ３に左右への回動動作を行わせ得るようにしている。そして、遊動点となる軸部３７を軸受部１４ｘから解離し、長孔１４１ａに沿って当該長孔１４１ａの上端まで遊動させ得るようにしている。また、本実施形態では前記軸部３７をボルト状のものにして止着具としての役割を兼ねさせており、立壁１４１に向かって締め着けることによって背凭れ３を選択的に軸受部材１４に傾動不能に固定し得るようにしている。
【００２４】
このように構成される背凭れ３は、傾動可能な状態下にあっても下方を背支桿１側に前記軸部３７及び軸受部材１４を介して少なくとも前後方向に固定されるが、上方は前記可動面３４ａが少なくともバックアップ面１２ａに前後方向に添接する以外に基本的に拘束を受けない。このため、着座者から背凭れ３に対して中心から幅方向へ変位した位置に図５に矢印Ｗで示すような偏った荷重が作用した場合に、主として背凭れ３を構成する背凭れインナーシェル３１の弾性を利用して当該背凭れ３の上方を下方に対してねじり変形させつつ、可動面３４ａをバックアップ面１２ａに対して接触部分を移動させながら転動させ、バックアップ面１２ａとともに背凭れ３の上部の向きを左右に変更することとなる。
【００２５】
また、着座者が右肩上がりの挙動若しくは右肩下がりの挙動を行い、背凭れ３に背面視右回り又は左回りに旋回する方向の付勢力（例えば図４における矢印Ｔ）が作用した場合には、軸部３５及び軸受部材１４を介して背凭れ３が回動し、その幅方向中央を縦断する中心線ｍを図４に想像線で示すように着座者の右肩上がりの挙動若しくは右肩下がりの挙動に追従させて傾倒させ得るようにしている。適宜の部位に樹脂バネ等を配置して傾倒した背凭れ３を通常位置に復帰させるようにしてもよい。
【００２６】
このような構成に加えて、背支桿１の腰椎対応部分には、図２等に示すように、前記ブラケット１３を利用してランバーサポート４を位置決めし且つ上下方向にガイドするための本発明に係るガイド部たるガイド部材５が取り付けてある。このガイド部材５は樹脂製のもので、図８に示すように前後に対をなす対向壁５１、５２の間に形成した長孔５ａにランバーサポート軸着用の金属製の支軸６を挿通して上下移動させ得るものであり、その一部が支軸６と協働してランバーサポート４に対する上下位置決め機構Ａを構成している。
【００２７】
この上下位置決め機構Ａは、前記支軸６と、この支軸６を係合させるべく前記ガイド部材５の対向壁５２の前向き面に上下方向に沿って間欠位置に設けた部分円筒状の凹所５３とからなるもので、この凹所５３において対向壁５１，５２間を前後方向に拡開させている。
【００２８】
そして、ガイド部材５の一部、具体的には前方の対向壁５１の幅方向中間位置に設けた板状の弾性体５４を、支軸６の挿通方向から見た場合に長孔５ａを狭める位置に配しており、これにより支軸６が何れの凹所５３に係合した状態にあっても図９（ａ）に示すように当該支軸６を凹所５３に向けて弾性付勢するとともに、同図（ｂ）に示すように弾性体５４に抗して凹所５３、５３間を支軸６が移動し得るようにしている。かかる上下位置決め機構Ａの弾性体５４は、支軸６を凹所５３に押し付けることで支軸６に回転抵抗を付与し、回り難くして、ランバーサポート４の上下位置のみならず回転角度をも仮保持する作用をなしている。
【００２９】
一方、背凭れ３側は、図１及び図２等に示すように、前記背凭れインナーシェル３１のうちランバー領域３１ａにＵ字形のスリット３１ｂを設けて弾性変形可能としており、前記ガイド部材５の外壁をそのランバー領域３１ａの側方に対応させて背支桿１に固定し、ランバー領域３１ａに対応させてランバーサポート４を位置づけている。すなわち、ランバーサポート４はこのランバー領域３１ａを弾性変形させながらクッション材３２を前方に押圧する位置に配される。勿論、背凭れインナーシェル３１の一部を切除して弾性変形可能な樹脂板を配置することで対応する構造を妨げるものではない。
【００３０】
このような構成により、支軸６が上下移動すれば、凹所５３ごとに支軸６が係合してその高さ方向の位置決めがなされることになる。凹所５３は弾性体５４より付勢される方向に存するため、着座者から背凭れ３に荷重を掛ければ、支軸６はより強く凹所５３に押し付けられて係合する。
【００３１】
そして、かかる支軸６の左右両端に、背凭れ３の左右の縁部近傍に図１及び図１０に示すグリップ状の操作部７を設け、着座者が着座した状態で腕を後方に回して左右の操作部７を把持し、これにより支軸６の上下移動操作をなし得るようにしている。
【００３２】
このとき、支軸６が上下方向に移動するにつれて間欠的に左右の凹所５３に係合し、係合する度に支軸６がクリックストップしてクリック感が支軸６を介して体感されるため、上記支軸６と凹所５３との係合は位置決め機能と別の見方をすれば支軸６の水平を保ちながら移動させるための手掛かりとなるものである。また、前述した凹所５３は水平に延びる部分円筒面をなしているため、この凹所５３の形状も支軸６を水平に誘導する手掛かりを与え得る。
【００３３】
他方、この実施形態におけるランバーサポート４は、図２等に示すように、角柱状のブロック部４１と、このブロック部４１の柱軸ｎから変位した部位に形成した支軸取付部４２とを樹脂一体成形してなるもので、この支軸取付部４２に支軸６を軸着するためのねじ等による回り止め部４３を設け、各ブロック部４１の略平坦な面を図１２（ａ）〜（ｄ）に示すようなサポート面Ｓ（Ｓ（１）、Ｓ（２）、Ｓ（３）、Ｓ（４））となすとともに、隣接するサポート面Ｓ、Ｓ間に角丸部Ｒを設けている。そして、その支軸取付部４２に前記支軸６を取り付け、回り止め部４３で両者を一体回転可能に固定している。
【００３４】
すなわち、各サポート面Ｓは、所定回転位置で図１１（ａ）に示すように仮に均等に荷重Ｆを受ける受圧面となっている状態で、同図（ｂ）に矢印Ｖで示すようにランバーサポート４が回転変位しようとすると、その回転により前方に移動する領域（図ではサポート面Ｓの下半部）が背凭れ３に接近して、回転により後方に移動する領域（サポート面Ｓの上半部）よりも優先して荷重Ｆの受圧を負担する。換言すれば、各サポート面Ｓが受圧面となるとき、支軸６からの距離が最も小さい部位を受圧の中心位置とする姿勢でランバーサポート４は安定し、そこからランバーサポート４が支軸６からの距離を増大させる方向に回転しようとすると、着座者からランバーサポート４に対してその距離を小さくする方向の押圧力が発生するため、ランバーサポート４は安定方向に戻ろうとし、結果的にランバーサポート４を前記所定回転位置に安定保持する作用が営まれる。そして、図１２に示すようにサポート面Ｓの支軸６からの距離Ｌ（Ｌ（１）、Ｌ（２）、Ｌ（３）、Ｌ（４））が基本的に異なるため、何れのサポート面Ｓ（Ｓ（１）、Ｓ（２）、Ｓ（３）、Ｓ（４））が受圧面になるかによって、サポート面Ｓの突出量（すなわちＬ）を変化させ得るようにしている。
【００３５】
そして、前述した操作部７を着座したまま両手で把持して回転操作を加えた場合には、支軸６とともにランバーサポート４が回転して、所望のサポート面Ｓが選択可能となる。
【００３６】
なお、着座者から背凭れ３に荷重が掛からない状態で、最も突出量の小さいサポート面Ｓ（３）が受圧面となったときでも背凭れ３の背面の樹脂板３１ａが押圧されてクッション材３２がやや圧縮された状態にあるように、支軸６の位置を規定している。また、サポート面Ｓ（２）とＳ（４）とは支軸６の設定上、そこからの距離Ｌ（２）、Ｌ（４）が本実施形態では同距離となっているが（図１２における（ｂ）、（ｄ）参照）、これらが受圧面となるときの支軸６を基準とした高さ位置が異なるため、回転を利用した簡便な高さ位置変更機能を有するものということができる。
【００３７】
そして、以上のように構成される背凭れ３の背面や背支桿１に付帯する機構部品を隠蔽する位置に、図１３、図１４（ａ）及び図１５（ａ）に示すアウターカバー９を配置している。
【００３８】
このアウターカバー９は、背凭れインナーシェル３１とは縁が切れていて、当該背凭れインナーシェル３１と接触しないように背支桿１に取り付けられる。すなわち、前述したごとく背凭れインナーシェル３１が可動であるのに対して、アウターシェル９の方は静止状態に保持するものであり、背凭れインナーシェル３１の左右両側縁３１ｘがアウターカバー９の対応する側縁９ｘに対して近接又は離反する相対動作を行うことになる。このため、背凭れインナーシェル３１とアウターカバー９との干渉、或いは背凭れインナーシェル３１の背面に設けられた背支持装置２やランバーサポート４等の機構部品とアウターカバー９との干渉が起こらない範囲で、当該背凭れインナーシェル３１の相対動作を許容する動作空間Ｚを背凭れインナーシェル３１とアウターカバー９との間に間隔をあけて確保している。
【００３９】
但し、単に間隔をあけるだけであると、動作空間Ｚ全体が側方に開放されて種々の機構部品が側面から視認されて見苦しくなる。そこで、この椅子は、背凭れインナーシェル３１の側縁３１ｘ近傍の背面より後方に向けてリブ状カバー３１ｚを突出させ、背支桿１の前面及びアウターカバー９の側縁９ｘより前方（斜め前方を含む）に向けてリブ状カバー１ｚ、９ｚを突出させており、これらのリブ状カバー３１ｚ、１ｚ同士、リブ状カバー３１ｚ、９ｚ同士をそれぞれ図１４（ａ）のように側面視重なり合うように配置することによって遮蔽機構ＳＬを構成している。そして、この遮蔽機構ＳＬにより、背凭れインナーシェル３１の動作を妨げることなく前記動作空間Ｚの側方を遮蔽するようにしている。
【００４０】
背凭れインナーシェル３１の左右のリブ状カバー３１ｚは、図１６及び図１７に示すように上端間が背支持装置２の上方に略水平に突出させたリブ状カバー３１ｚ´によって接続され、全体が下向きコ字形のリブ状カバーを構成しているもので、これらは背凭れインナーシェル３１に一体成形されている。
【００４１】
背支桿１のリブ状カバー１ｚは、前述したランバーサポート４の支軸６をガイドするガイド部材５（図１８参照）の外縁側に一体成形したもので、上下所定領域から前方に突出する板状をなし、図１４（ａ）及び図１５（ａ）に示すように背凭れインナーシェル３１のリブ状カバー３１ｚの内側に所定距離を隔てて差し込まれるようにしている。
【００４２】
また、アウターカバー９のリブ状カバー９ｚは、図１３及び図１４（ａ）に示すように、当該アウターカバー９の上方近傍の左右の側縁９ｘより斜め前方にコブ状に突出させたもので、このリブ状カバー９ｚはアウターカバー９側の背支持装置対応部位に幅方向に沿って膨出させたリブ９ｒに連続する位置にあり、背凭れインナーシェル３１のリブ状カバー３１ｚの外側に配置されるようにしている。
【００４３】
そして、背凭れインナーシェル３１がねじり動作を行い、これに伴いその側縁３１ｘが図１５（ｂ）の左側縁に示すようにアウターカバー９の対応する側縁９ｘに接近した際に、当該背凭れインナーシェル３１のリブ状カバー３１ｚが背支桿１のリブ状カバー１ｚと干渉せずに側面視における重なり合いを深めるように、且つ、同図右側縁に示すように背凭れインナーシェル３１の側縁３１ｘがアウターカバー９の対応する側縁９ｘから離反しても、当該背凭れインナーシェル３１のリブ状カバー３１ｚが背支桿１のリブ状カバーｚと側面視における重なり合いを残すように、それらのリブ状カバー３１ｚ、１ｚの突出量及び位置関係を規定している。同様に、背凭れインナーシェル３１がねじり動作を行い、これに伴いその側縁３１ｘが図１４（ｂ）に示すようにアウターカバー９の対応する側縁９ｘに接近した際に、当該背凭れインナーシェル３１のリブ状カバー３１ｚがアウターカバー９のリブ状カバー９ｚと干渉せずに側面視における重なり合いを深めるように、且つ、同図（ｃ）に示すように背凭れインナーシェル３１の側縁３１ｘがアウターカバー９の対応する側縁９ｘから離反しても、当該背凭れインナーシェル３１のリブ状カバー３１ｚがアウターカバー９のリブ状カバー９ｚと側面視における重なり合いを残すように、それらのリブ状カバー３１ｚ、９ｚの突出量及び位置関係を規定している。勿論、実質的に遮蔽機能が損なわれなければ、離反した際のリブ状カバー同士の重なりは殆どなくなる程度であっても構わない。
【００４４】
なお、先に示した図１、図２及び図８では、リブ状カバー１ｚ、３１ｚ、３１ｚ´は図示省略してある。
【００４５】
また、図１及び図２で示した張り地３３の背凭れ背面への巻き込みは、背凭れインナーシェル３１のリブ状カバー３１ｚ、３１ｚ´の付け根あたりまで巻き込んで当該リブ状カバー３１ｚ、３１ｚ´を包囲する状態で止着するようにする。これにより、張り地３３のエンドを視認し難くでき、同時に張り地３３が動作空間Ｚに進入して機構部品に巻き付く等の不具合も回避することができる。
【００４６】
さらに、図１３に示されるように、この椅子のアウターカバー３１には背面にハンガーＨが取り付けてあり、平素は少なくとも背凭れインナーシェル３１の上端より低い収納位置に保持されるが、必要なときに上方に引き出して使用するようにしている。
【００４７】
以上のように、本実施形態の椅子は、背凭れインナーシェル３１の背後にアウターカバー９を配置して、背凭れインナーシェル３１を、その上部が拘束を受けない状態で下部を背支桿１に固定することで、背凭れインナーシェル３１の弾性を利用して背凭れインナーシェル３１上部の下部に対するねじり変形を許容して背凭れインナーシェル３１上部の向きを左右に変更可能に構成したものである。背凭れインナーシェル３１の向き変更に伴い背凭れインナーシェル３１の左右両側縁３１ｘがアウターカバー９の対応する側縁９ｘに対して近接又は離反する相対動作を許容する動作空間Ｚを、背凭れインナーシェル３１とアウターカバー９との間に間隙をあけて確保している。アウターカバー９は、背凭れインナーシェル３１と接触しないように背支桿１に取り付けられて、背凭れインナーシェル３１の向き変更に対して静止状態を保持するように構成している。
【００４８】
したがって、着座者が体の向きを変える動作を行った場合に、背凭れインナーシェル３１の側縁３１ｘがアウターカバー９側に接近する方向に逃げることができるので、背凭れ３が着座者の動作の妨げとなることを有効に回避することができる。このような作用は既に背支持装置２について説明した通りである。しかも、かかる背凭れインナーシェル３１の相対動作はアウターカバー９との間に間隙をあけて確保した動作空間Ｚ内で行なわれ、アウターカバー９と干渉することがなく、アウターカバー９も背凭れインナーシェル３１の動きに追従しないので、当該背凭れインナーシェル３１の作動を円滑に行なわせることができると同時に、アウターカバー９側にも安定感のある本来のカバー機能を有効に担保しておくことができる。
【００４９】
また、背凭れインナーシェル３１の左右両側縁３１ｘとアウターカバー９の対応する側縁９ｘとの間に、背凭れインナーシェル３１の動作を妨げることなく前記動作空間Ｚの側方を遮蔽する遮蔽機構ＳＬを構成しているので、背凭れインナーシェル３１とアウターカバー９との間隙を大きくとっても、椅子の側方からの見え掛かりが損なわれることを有効に防止することができる。
【００５０】
具体的には、遮蔽機構ＳＬが、背凭れインナーシェル３１の背面より後方に突出させて設けたリブ状カバー３１ｚと、背支桿１の前面及びアウターカバー９の側縁９ｘより前方に突出させて設けたリブ状カバー１ｚ、９ｚとを具備し、これらのリブ状カバー３１ｚ、１ｚ同士、リブ状カバー３１ｚ、９ｚ同士を側面視重なり合うように配置しているだけであるため、構造が簡素であり、しかもリブ状カバー３１ｚ、９ｚはそれぞれ背凭れインナーシェル３１やアウターカバー９に一体成形し、リブ状カバー１ｚはガイド部材５に一体成形するようにしているため、別途に部品を導入したり取り付け工数が増えること等も回避することができる。
【００５１】
また、図１５（ａ）に示すリブ状カバー１ｚ、３１ｚは少なくとも左右の背支桿１の外縁よりも内側に位置づけてあり、背凭れ３の幅方向中心に近い位置ほど背凭れインナーシェル３１が背凭れ３の向きを変える方向に動作した際のリブ状カバー３１ｚの振れが小さくなることに鑑みれば、このものはリブ状カバー１ｚ、３１ｚが必要以上に大掛かりとなることを有効に回避し得ているものと言うことができる。
【００５２】
特に、この実施形態は前述したように背支持装置２やランバーサポート４を背凭れインナーシェル３１の背後に構成しており、何れも可動部分を有するものであることから、動作空間Ｚを確保して背凭れインナーシェル３１のアウターカバー９に対する相対動作を許容することは、同時にこれらの可動部分にも適正な動作空間Ｚを与え得るものとなる。
【００５３】
その背支持装置２は、背凭れインナーシェル上方の、下方に対するねじり変形動作を許容し、且つその左右両側縁３１ｘがアウターカバー９の対応する側縁９ｘに近接又は離反する動作を許容すべく、背凭れインナーシェル３１の下方を背支桿１側に少なくとも前後方向に固定し、上方を解放した状態で背支桿１側に支持させるものであり、背凭れインナーシェル３１の左右両側縁の一方と他方に同時にアウターカバー９に対する接近動作と離反動作が表れるものであることから、上記動作空間Ｚを設けておくことの意義は大きいものである。
【００５４】
なお、各部の具体的な構成は、上述した実施形態のみに限定されるものではない。
【００５５】
例えば、上記実施形態ではリブ状カバー１ｚを背支桿１に設けているが、アウターカバー９側に設けるようにしても構わない。同様に、リブ状カバー９ｚを背支桿１側に設けることも可能である。
【００５６】
また、アウターカバーの他の形態として、背凭れに向かって周回状に突出する壁部を有し、その壁部の左右外側に背支桿を、後方から隠蔽可能なように配置するとともに、壁部の内側に前述した機構部品を収容する構造が考えられる。このようにしても、壁部の内側を動作空間として利用することができ、壁部をリブ状カバーとして活用することが可能となる。この場合、前述した張地３３の背凭れ背面への巻き込みは、その壁部の周囲に密接させてこれを包囲するような状態で取り付けることが好適である。
【００５７】
その他の構成も、本発明の趣旨を逸脱しない範囲で種々変形が可能である。
【図面の簡単な説明】
【００５８】
【図１】本発明の一実施形態に係る椅子の斜視図。
【図２】同分解斜視図。
【図３】同一部破断した平面図。
【図４】同背面図。
【図５】同作用説明図。
【図６】同一部破断した側面図。
【図７】図６の要部拡大図。
【図８】同実施形態におけるガイド部材の拡大斜視図。
【図９】同実施形態における上下位置決め機構の作用説明図。
【図１０】同実施形態における操作部の取り扱い説明図。
【図１１】同実施形態におけるランバーサポートの作用説明図。
【図１２】同実施形態におけるランバーサポートの作用説明図。
【図１３】アウターカバーを取り付けた椅子の斜視図。
【図１４】同側面図。
【図１５】図１４におけるＸ−Ｘ線断面図。
【図１６】アウターカバーを外してリブ状カバーを明示した椅子の背面図。
【図１７】同分解図。
【図１８】ガイド部材とリブ状カバーとの関係を示す図。
【符号の説明】
【００５９】
１…背支桿
１ｚ…リブ状カバー
２…背支持装置
３…背凭れ
４…ランバーサポート
９…アウターカバー
９ｘ…側縁（アウターカバー）
９ｚ…リブ状カバー
３１…背凭れインナーシェル
３１ｘ…側縁（背凭れインナーシェル）
３１ｚ…リブ状カバー
Ｚ…動作空間
ＳＬ…遮蔽機構
【図１】
0004735967.tif 000002
【図２】
0004735967.tif 000003
【図３】
0004735967.tif 000004
【図４】
0004735967.tif 000005
【図５】
0004735967.tif 000006
【図６】
0004735967.tif 000007
【図７】
0004735967.tif 000008
【図８】
0004735967.tif 000009
【図９】
0004735967.tif 000010
【図１０】
0004735967.tif 000011
【図１１】
0004735967.tif 000012
【図１２】
0004735967.tif 000013
【図１３】
0004735967.tif 000014
【図１４】
0004735967.tif 000015
【図１５】
0004735967.tif 000016
【図１６】
0004735967.tif 000017
【図１７】
0004735967.tif 000018
【図１８】
0004735967.tif 000019